(57)【要約】【課題】天井の全体にイオンを供給できるようにした浴室換気乾燥暖房機を提供する。【解決手段】浴室換気乾燥暖房機１Ａは、空気の流れを生成する循環換気ファンと、本体部３Ａの下面に取り付けられ、吸込口グリル４０Ａを有すると共に第１の吹出口グリル４１Ａ及び第２の吹出口グリル４２Ａを有したフロントパネル４Ａと、循環換気ファンで生成される空気の流れに供給されるイオンを発生させるイオン発生器を備え、フロントパネル４Ａに、本体部３Ａの外側に向かう一の側方へイオンを含む空気を吹き出す第１の循環吹出口グリル４４Ａと、一の側方と反対側の他の側方へイオンを含む空気を吹き出す第２の循環吹出口グリル４５Ａを備える。【選択図】    図４
2018173251.tif 000002
【特許請求の範囲】
【請求項１】
空気の流れを生成する送風手段、前記送風手段で吸い込まれる空気が通る吸込口及び前記送風手段で吹き出される空気が通る吹出口を有した本体部と、
前記本体部の前記吸込口及び前記吹出口を有した面に設けられ、前記吸込口と連通する吸込口グリルを有したパネル部材と、
前記送風手段で生成される空気の流れに供給される機能因子を発生させる機能因子発生部とを備え、
前記パネル部材は、前記吹出口と連通し、前記本体部の外側に向かう側方へ、少なくとも２方向に前記機能因子発生部で発生させた機能因子を含む空気を吹き出す循環吹出口を備えた
ことを特徴とする送風装置。
【請求項２】
前記循環吹出口は、前記本体部の外側に向かう一の側方と、一の側方と反対側の他の側方へ空気を吹き出す
ことを特徴とする請求項１に記載の送風装置。
【請求項３】
前記循環吹出口は、前記本体部の外側に向かう一の側方へ吹き出される空気と、一の側方と反対側の他の側方へ吹き出される空気の風量を異ならせた
ことを特徴とする請求項２に記載の送風装置。
【請求項４】
前記循環吹出口は、前記本体部の外側に向かう側方へ空気の流れる方向を切り替える風向切換手段を備えた
ことを特徴とする請求項１〜請求項３の何れか１項に記載の送風装置。
【請求項５】
前記本体部は浴室の天井に設置され、
前記循環吹出口は、洗い場側の壁面に向けて天井に沿って空気を吹き出すと共に、洗い場と反対側の浴槽側の壁面に向けて天井に沿って空気を吹き出す
ことを特徴とする請求項１〜請求項４の何れか１項に記載の送風装置。
【発明の詳細な説明】
【技術分野】
【０００１】
本発明は、浴室等に設置され、室温に応じた空気あるいは温風を室内に吹き出す送風装置に関する。
【背景技術】
【０００２】
従来から、浴室等の天井に設置され、温風あるいは室温に応じた空気を室内に吹き出して、室内の暖房、室内にある被乾燥物の乾燥等の機能を実現した送風装置が提案されている。このような送風装置は、室内の空気を屋外に排気する換気の機能を持つものも多く、浴室換気乾燥暖房機と称されている。
【０００３】
浴室換気乾燥暖房機では、イオン等の機能因子の発生器を風路中に備え、機能因子を浴室に供給する技術が提案されている。イオンを浴室に供給する浴室換気乾燥暖房機では、イオンを含む空気の吹き出し方向を切り替えられるように可動ルーバを設けた技術が提案されている（例えば、特許文献１参照）。また、イオンを含む空気を浴室の一の壁に向けて吹き出す吹出口を備えた技術が提案されている（例えば、特許文献２参照）。
【先行技術文献】
【特許文献】
【０００４】
【特許文献１】特許第４５４８０２７号公報
【特許文献２】特許第６０７５９４４号公報
【発明の概要】
【発明が解決しようとする課題】
【０００５】
浴室換気乾燥暖房機等、設置場所の天井に設置される送風装置では、天井に沿って循環する空気の流れを生成することが困難で、天井の全体に機能因子を供給することができなかった。
【０００６】
本発明は、このような課題を解決するためになされたもので、天井の全体に機能因子を供給できるようにした送風装置を提供することを目的とする。
【課題を解決するための手段】
【０００７】
上述した課題を解決するため、本発明は、空気の流れを生成する送風手段、送風手段で吸い込まれる空気が通る吸込口及び送風手段で吹き出される空気が通る吹出口を有した本体部と、本体部の吸込口及び吹出口を有した面に設けられ、吸込口と連通する吸込口グリルを有したパネル部材と、送風手段で生成される空気の流れに供給される機能因子を発生させる機能因子発生部とを備え、パネル部材は、吹出口と連通し、本体部の外側に向かう側方へ、少なくとも２方向に機能因子発生部で発生させた機能因子を含む空気を吹き出す循環吹出口を備えた送風装置である。
【０００８】
本発明では、設置場所に本体部が設置されると、パネル部材が設置場所に露出する。循環吹出口から複数方向へ吹き出される機能因子を含む空気は、設置場所である浴室の天井に沿って流れて、浴室内を循環する。
【発明の効果】
【０００９】
本発明によれば、設置場所である浴室の天井の全体に機能因子を供給することができ、機能因子を浴室の天井の全体に作用させることができる。
【図面の簡単な説明】
【００１０】
【図１】第１の実施の形態の浴室換気乾燥暖房機の一例を示す構成図である。
【図２】第１の実施の形態の浴室換気乾燥暖房機の一例を示す構成図である。
【図３】第１の実施の形態の浴室換気乾燥暖房機の一例を示す構成図である。
【図４】第１の実施の形態の浴室換気乾燥暖房機の一例を示す構成図である。
【図５】第１の実施の形態の浴室換気乾燥暖房機の設置例を示す構成図である。
【図６】第１の実施の形態の浴室換気乾燥暖房機の制御機能の一例を示すブロック図である。
【図７】第１の実施の形態の浴室換気乾燥暖房機における風路切替ダンパの動作を示す説明図である。
【図８】第１の実施の形態の浴室換気乾燥暖房機における風路切替ダンパの動作を示す説明図である。
【図９】第１の実施の形態の浴室換気乾燥暖房機における風路切替ダンパの動作を示す説明図である。
【図１０】第１の実施の形態の浴室換気乾燥暖房機における浴室内の空気の流れを示す説明図である。
【図１１】第１の実施の形態の浴室換気乾燥暖房機における浴室内の空気の流れを示す説明図である。
【図１２】第１の実施の形態の浴室換気乾燥暖房機の一例を示す構成図である。
【図１３】第１の実施の形態の浴室換気乾燥暖房機の一例を示す構成図である。
【発明を実施するための形態】
【００１１】
以下、図面を参照して、本発明の送風装置としての浴室換気乾燥暖房機の実施の形態について説明する。
【００１２】
＜第１の実施の形態の浴室換気乾燥暖房機の構成例＞
図１〜図４は、第１の実施の形態の浴室換気乾燥暖房機の一例を示す構成図で、図１は、浴室換気乾燥暖房機の内部構成を示す側面図、図２は、下面側から見た平面図である。また、図３はフロントパネルを取り付けた状態の平面図、図４はフロントパネルを取り付けた状態の側面図である。更に、図５は、第１の実施の形態の浴室換気乾燥暖房機の設置例を示す構成図である。
【００１３】
第１の実施の形態の浴室換気乾燥暖房機１Ａの概要を説明すると、浴室換気乾燥暖房機１Ａは、循環換気ファン２Ａを有した本体部３Ａが、フロントパネル４Ａを露出させた形態で、設置場所である浴室１００の天井に取り付けられる。浴室換気乾燥暖房機１Ａは、フロントパネル４Ａが取り付けられる側が下側となる。
【００１４】
浴室換気乾燥暖房機１Ａは、空気を吸い込んで吹き出す循環換気ファン２Ａと、循環換気ファン２Ａで空気が吸い込まれる循環換気吸込口２０Ａと、ヒータ５が駆動されることで温風、ヒータ５が非駆動で浴室１００内の室温に応じた送風が吹き出される第１の吹出口２１Ａと、浴室１００内の空気を攪拌する送風が吹き出される第２の吹出口２２Ａを備える。
【００１５】
また、浴室換気乾燥暖房機１Ａは、循環換気ファン２Ａで循環換気吸込口２０Ａから吸い込んだ空気を室外に排気する換気吹出口２３Ａを備える。更に、浴室換気乾燥暖房機１Ａは、第１の吹出口２１Ａ及び第２の吹出口２２Ａと、換気吹出口２３Ａとの間で風路を切り替える風路切替ダンパ６Ａを備える。
【００１６】
第１の実施の形態の浴室換気乾燥暖房機１Ａは、室内に吹き出される空気中に放出される機能因子が、設置場所の全体に供給できる方向に、機能因子を含む空気を吹き出す循環吹出口を備える。
【００１７】
以下に、浴室換気乾燥暖房機１Ａの詳細について説明すると、循環換気ファン２Ａは遠心ファンで構成される送風手段の一例で、多翼の羽根車２５Ａと、羽根車２５Ａを駆動する循環換気ファンモータ２６Ａと、風路を形成する循環換気ファンケース２７Ａを備える。羽根車２５Ａは、循環換気ファンモータ２６Ａに駆動されて回転することで、羽根車２５Ａの内側から外周側へと遠心方向に吹き出される空気の流れを発生させる。
【００１８】
循環換気ファン２Ａは、循環換気ファンケース２７Ａの下面に、空気が吸い込まれる循環換気吸込口２０Ａを備える。循環換気吸込口２０Ａは、羽根車２５Ａの回転軸に沿った下方に、ベルマウスと称される円形の開口を設けて構成される。循環換気ファンケース２７Ａはケース部の一例で、羽根車２５Ａの外周に沿った略円形の部位と、羽根車２５Ａの接線方向に沿った部位の間に舌部２７Ａ１が形成される形状である。循環換気ファンケース２７Ａは、羽根車２５Ａの遠心方向に吹き出される空気を整流して、羽根車２５Ａの接線方向に沿って吹き出される空気の流れを発生させる。
【００１９】
循環換気ファン２Ａは、浴室換気乾燥暖房機１Ａが浴室１００の天井に設置された状態で、羽根車２５Ａの回転軸の向きが上下方向に沿った配置で構成される。
【００２０】
これにより、循環換気ファン２Ａは、羽根車２５Ａの回転軸に沿った下方の循環換気吸込口２０Ａから吸い込んだ空気を、羽根車２５Ａの接線方向に吹き出す吹出風路２８Ａが、循環換気ファンケース２７Ａにより形成される。
【００２１】
循環換気ファン２Ａは、循環換気ファンケース２７Ａの下面に、ヒータ５を駆動することで加熱された空気、あるいは、ヒータ５を非駆動とすることで浴室１００内の温度に応じた空気が吹き出される第１の吹出口２１Ａを備える。
【００２２】
また、循環換気ファン２Ａは、循環換気ファンケース２７Ａの下面に、浴室１００内を攪拌する空気が吹き出される第２の吹出口２２Ａを備える。更に、循環換気ファン２Ａは、循環換気ファンケース２７Ａの側面に、室外へ空気が吹き出される換気吹出口２３Ａを備える。
【００２３】
第１の吹出口２１Ａは、循環換気ファンケース２７Ａによる空気の吹出方向に沿った辺を短辺とした長方形の開口を、吹出風路２８Ａの下面に設けて構成される。第２の吹出口２２Ａは、循環換気ファンケース２７Ａによる空気の吹出方向に沿った辺を短辺とした長方形の開口を、吹出風路２８Ａの下面において、第１の吹出口２１Ａに対して循環換気吸込口２０Ａの反対側に設けて構成される。
【００２４】
循環換気ファンケース２７Ａで構成される吹出風路２８Ａは、第１の吹出口２１Ａ及び第２の吹出口２２Ａが設けられる部位で広げられ、換気吹出口２３Ａが設けられる部位で狭められる。第１の吹出口２１Ａと第２の吹出口２２Ａは、循環換気ファンケース２７Ａによる空気の吹出方向に沿った辺に対して交差する長辺が、本体部３Ａの幅方向の長さに合わせられる。
【００２５】
第１の吹出口２１Ａと第２の吹出口２２Ａは、循環換気ファンケース２７Ａの下面に設けられた風路形成枠体５０Ａで構成される。第１の吹出口２１Ａと第２の吹出口２２Ａは、風路形成枠体５０Ａの内側に設けられる仕切り部材５１Ａにより仕切られ、第１の吹出口２１Ａから吹き出される空気が通る循環空気吹出風路と、第２の吹出口２２Ａから吹き出される空気が通る攪拌空気吹出風路が形成される。
【００２６】
風路切替ダンパ６Ａは風路開閉手段の一例で、図示しないダンパモータの駆動力が伝達され、軸６０Ａを支点に回転して、第１の吹出口２１Ａ及び第２の吹出口２２Ａと、換気吹出口２３Ａとの開閉動作を行う。
【００２７】
風路切替ダンパ６Ａは、仕切り部材５１Ａで構成される第１の吹出口２１Ａと第２の吹出口２２Ａとの分岐部５２Ａより、空気の流れる方向に対して上流側に、分岐部５２Ａから所定の距離を開けて回転による開閉動作の軸６０Ａが設けられる。
【００２８】
風路切替ダンパ６Ａは、空気の流れる方向に対して軸６０Ａより上流側の部位が、軸６０Ａを支点とした回転動作で、第１の吹出口２１Ａと換気吹出口２３Ａとを開閉する方向へ変位する。また、風路切替ダンパ６Ａは、空気の流れる方向に対して軸６０Ａより下流側の部位が、軸６０Ａを支点とした回転動作で、第２の吹出口２２Ａを開閉する方向へ変位する。
【００２９】
これにより、風路切替ダンパ６Ａは、空気の流れる方向に対して軸６０Ａから上流側に延在する部位で、主に第１の吹出口２１Ａと換気吹出口２３Ａとの間で風路を切り替えると共に、換気吹出口２３Ａの開度を切り替える主風路切替部６１Ａが構成される。また、風路切替ダンパ６Ａは、空気の流れる方向に対して軸６０Ａから下流側に延在する部位で、主に第２の吹出口２２Ａを開閉すると共に、内側の面で、風路切替ダンパ６Ａの開度に応じて第１の吹出口２１Ａへの風路、第１の吹出口２１Ａ及び第２の吹出口２２Ａへの風路が形成され、外側の面で、換気吹出口２３Ａへの風路が形成される副風路切替部６２Ａが構成される。更に、風路切替ダンパ６Ａは、副風路切替部６２Ａの先端側に、軸６０Ａを支点とした回転動作の方向に沿って延在し、換気吹出口２３Ａに対して第２の吹出口２２Ａを塞ぐ逆流防止部６３Ａが設けられる。
【００３０】
浴室換気乾燥暖房機１Ａでは、風路切替ダンパ６Ａの位置を、第１の位置である図１に実線で示す循環位置とすると、空気の流れる方向に対して軸６０Ａより上流側の主風路切替部６１Ａは、風路切替ダンパ６Ａの一方の端部となる主風路切替部６１Ａの先端が、循環換気ファンケース２７Ａの上側の内面に接する。
【００３１】
また、空気の流れる方向に対して軸６０Ａより下流側の副風路切替部６２Ａは、風路切替ダンパ６Ａの他方の端部となる副風路切替部６２Ａの先端が、分岐部５２Ａと接する。更に、逆流防止部６３Ａは、換気吹出口２３Ａに対して第２の吹出口２２Ａを塞ぐ。これにより、第１の吹出口２１Ａが開き、第２の吹出口２２Ａと換気吹出口２３Ａが閉じられて、循環換気吸込口２０Ａから第１の吹出口２１Ａへ連通した循環風路が形成される。
【００３２】
浴室換気乾燥暖房機１Ａでは、風路切替ダンパ６Ａの位置を、循環位置から軸６０Ａを支点に回転させて、第２の位置である図１に破線で示す循環換気位置とすると、軸６０Ａより上流側の主風路切替部６１Ａが下方向へ移動し、風路切替ダンパ６Ａの一端が吹出風路２８Ａの中間付近に位置する。
【００３３】
また、軸６０Ａより下流側の副風路切替部６２Ａが、分岐部５２Ａから離れる上方向に移動する。これにより、第１の吹出口２１Ａ及び第２の吹出口２２Ａと、換気吹出口２３Ａの双方が開き、循環風路と、循環換気吸込口２０Ａから換気吹出口２３Ａへ連通した換気風路の双方が形成される。
【００３４】
浴室換気乾燥暖房機１Ａでは、風路切替ダンパ６Ａの位置を、循環換気位置から軸６０Ａを支点に回転させて、第３の位置である図１に一点鎖線で示す換気位置とすると、軸６０Ａより上流側の主風路切替部６１Ａが下方向へ移動し、風路切替ダンパ６Ａの一端が循環換気ファンケース２７Ａの下側の内面に接する。また、軸６０Ａより下流側の副風路切替部６２Ａが上方向へ移動し、風路切替ダンパ６Ａの他端が換気吹出口２３Ａの下側で循環換気ファンケース２７Ａの内面に接する。これにより、換気吹出口２３Ａが開き、第１の吹出口２１Ａ及び第２の吹出口２２Ａが閉じられて換気風路が形成される。
【００３５】
これにより、浴室換気乾燥暖房機１Ａでは、１つの循環換気ファン２Ａで、浴室１００内の空気を吸い込み、吸い込んだ空気を浴室１００内に吹き出す動作、吸い込んだ空気を室外に排気する動作、吸い込んだ空気の一部を浴室１００内に吹き出し、残部を室外に排気する動作が行われる。
【００３６】
また、浴室換気乾燥暖房機１Ａでは、１つの風路切替ダンパ６Ａで、第１の吹出口２１Ａ及び第２の吹出口２２Ａと、換気吹出口２３Ａの開閉動作が行われる。
【００３７】
ヒータ５は加熱手段の一例で、本例ではＰＴＣヒータで構成され、第１の吹出口２１Ａから吹き出された空気が通る循環空気吹出風路に設けられる。ヒータ５が駆動されて通電されると、ヒータ５が加熱されることで第１の吹出口２１Ａを通る空気が加熱され、第１の吹出口２１Ａから温風が吹き出される。
【００３８】
第１の吹出口２１Ａと第２の吹出口２２Ａは、仕切り部材５１Ａにより仕切られており、第２の吹出口２２Ａから吹き出される空気は、ヒータ５を通過しない。なお、本例では、加熱手段として電気により駆動されるヒータ５を例に説明したが、温水による熱交換器等のヒータでも良い。
【００３９】
本体部３Ａは、循環換気ファンケース２７Ａを構成する本体シャーシ３０Ａと、本体シャーシ３０Ａを覆う金属ケース３１Ａを備える。本体シャーシ３０Ａは樹脂材料で構成され、金属ケース３１Ａで覆われる循環換気ファンケース２７Ａと、本体部３Ａの下端の周縁から外側に突出するフランジ部３２Ａが、一体で構成される。
【００４０】
本体シャーシ３０Ａは、金属ケース３１Ａから露出した下面に下カバー３３Ａが取り付けられる。循環換気ファン２Ａは、循環換気吸込口２０Ａと、第１の吹出口２１Ａ及び第２の吹出口２２Ａが下カバー３３Ａに設けられ、下カバー３３Ａに風路形成枠体５０Ａが取り付けられる。
【００４１】
金属ケース３１Ａは、循環換気ファン２Ａの換気吹出口２３Ａに対向して開口が設けられ、換気吹出口２３Ａと連通した排気ダクトジョイント３４Ａが側面に取り付けられる。
【００４２】
浴室換気乾燥暖房機１Ａは、本体部３Ａの下面にフロントパネル４Ａが取り付けられる。フロントパネル４Ａはパネル部材の一例で、平面状または湾曲形状の下面部と４面の側部を有した形状である。フロントパネル４Ａは、循環換気ファン２Ａの循環換気吸込口２０Ａに対向した位置の下面部を開口して吸込口グリル４０Ａが形成される。
【００４３】
また、フロントパネル４Ａは、図３（ａ）に示すように、循環換気ファン２Ａの第１の吹出口２１Ａに対向した位置の下面部を開口して第１の吹出口グリル４１Ａが形成されると共に、第２の吹出口２２Ａに対向した位置の下面部を開口して第２の吹出口グリル４２Ａが形成される。
【００４４】
更に、フロントパネル４Ａは、図４（ａ）に示すように、一の側部に第２の吹出口２２Ａと連通した第１の循環吹出口グリル４４Ａを備え、図４（ｂ）に示すように、一の側部と反対側の他の側部に、第２の吹出口２２Ａと連通した第２の循環吹出口グリル４５Ａを備える。
【００４５】
なお、フロントパネル４Ａは、図３（ｂ）に示すように、下面部には吸込口グリル４０Ａのみを設け、図４（ａ）、図４（ｂ）に示すように、対向する２側部に第１の循環吹出口グリル４４Ａと第２の循環吹出口グリル４５Ａを設ける構成でも良い。また、図示しないが、フロントパネル４Ａは、下面部に吸込口グリル４０Ａと第１の吹出口グリル４１Ａを設け、対向する２側部に第１の循環吹出口グリル４４Ａと第２の循環吹出口グリル４５Ａを設ける構成でも良い。更に、フロントパネル４Ａは、本体部３Ａと独立した部材であっても良いし、本体部３Ａと一体の部材であっても良い。なお、フロントパネル４Ａと本体部３Ａとが一体とは、フロントパネル４Ａが本体部３Ａを構成する循環換気ファンケース２７Ａと一体、本体シャーシ３０Ａと一体等の形態を含む。
【００４６】
第１の吹出口グリル４１Ａは、本体部３Ａの一の辺に沿った方向である短手方向に沿った長さを長くした長方形の開口で構成される。また、第２の吹出口グリル４２Ａは、第１の吹出口グリル４１Ａと同様に、本体部３Ａの一の辺に沿った方向である短手方向に沿った長さを長くした長方形の開口で構成される。
【００４７】
第１の吹出口グリル４１Ａは、長手方向に沿って空気が吹き出されるように、整流板が設けられる。第２の吹出口グリル４２Ａは、第１の吹出口グリル４１Ａと並列する短手方向に沿って、第１の吹出口グリル４１Ａと反対側である本体部３Ａの外側に向けて空気が吹き出されるように、整流板４３Ａが設けられる。
【００４８】
第１の循環吹出口グリル４４Ａは循環吹出口の一例で、本体部３Ａの外側へ一方の側方に向けて空気が吹き出される開口を設けて構成される。第２の循環吹出口グリル４５Ａは循環吹出口の一例で、本体部３Ａの外側へ、第１の循環吹出口グリル４４Ａによる吹出方向と反対向きである他方の側方に向けて空気が吹き出される開口を設けて構成される。
【００４９】
第１の循環吹出口グリル４４Ａと第２の循環吹出口グリル４５Ａの一方、本例では、第１の循環吹出口グリル４４Ａから吹き出される空気の風量が、第２の循環吹出口グリル４５Ａから吹き出される空気の風量より多くなるように、例えば開口の大きさ等が設定される。なお、循環吹出口グリルは、３側部または４側部に設けても良い。また、空気の吹き出し方向が直交する２側部に設けても良い。
【００５０】
浴室換気乾燥暖房機１Ａは、機能因子発生部としてイオン発生器１０を備える。イオン発生器１０は、機能因子としてイオンを生成、放出し、菌を除去する。このため、イオンは、空気を清浄する空気清浄因子として主に機能し、イオン発生器１０は、イオンを生成、放出する空気清浄因子発生部として機能する。
【００５１】
イオン発生器１０は、正イオンと負イオンの両方あるいは少なくとも正イオンまたは負イオンのどちらか一方を発生する。正イオンと負イオンの発生の原理は、コロナ放電により空気中の酸素ないしは水分が電離によりエネルギーを受けてイオン化し、Ｈ+（Ｈ2Ｏ）m（ｍは任意の自然数）と、Ｏ2-（Ｈ2Ｏ）n（ｎは任意の自然数）が主体のイオンを放出するものである。
【００５２】
これらＨ+（Ｈ2Ｏ）m及びＯ2-（Ｈ2Ｏ）nは、菌の表面に付着し、化学反応して活性種であるＨ2Ｏ2または・ＯＨを生成する。Ｈ2Ｏ2または・ＯＨは、極めて強力な活性を示すため、これらにより、菌を取り囲んで除去することができる。ここで、・ＯＨは活性種の１種であり、ラジカルのＯＨを示している。
【００５３】
これにより、浴室換気乾燥暖房機１Ａで循環換気ファン２Ａの運転と連動させて略同数の正イオンと負イオンを発生させ、略同数の正イオンと負イオンを含む空気を送風することで、循環する空気に含まれる浮遊細菌と浴室１００の空気中の浮遊細菌の双方を除去して、カビの発生等を抑えることができる。また、浴室１００に付着した菌を除去して、カビの発生等を抑えることができる。更に、衣類に付着した菌を除去して、臭気の発生を抑えることができる。
【００５４】
なお、イオン発生器１０によるイオンの発生は、正イオンのみや負イオンのみでも良く、コロナ放電ではなく、他の方法でも良い。更に、循環する空気に含まれる浮遊細菌と浴室の空気中の浮遊細菌の双方を除去する空気清浄因子として、イオンではなく、オゾン等、他の空気清浄因子であっても良い。また、空気清浄因子発生部は、銀イオンや、脱臭及び除菌を行う薬剤や、保湿効果を促す薬剤等を噴霧させる噴霧手段等を用いても良く、空気中の浮遊細菌や衣類等に付着した細菌の増殖を抑制するものや、細菌を除去するもの、また、保湿効果を持った機能因子を放出するようなもの等、空気に特定の機能を付与する空気処理手段であれば、如何なる形態のものであっても良い。
【００５５】
イオン発生器１０は、コロナ放電を行う電極針と、この電極針を覆う図示しないカバーを有してイオンの放出部１０Ａが構成される。イオン発生器１０は、第１の吹出口２１Ａと第２の吹出口２２Ａから吹き出される空気の両方、または、第２の吹出口２２Ａから吹き出される空気にイオンを供給できる位置に設置される。
【００５６】
次に、イオン発生器１０の設置場所について説明する。本例では、第１の吹出口２１Ａ及び第２の吹出口２２Ａから吹き出される空気にイオンを供給するため、イオン発生器１０は、イオンの放出部１０Ａを吹出風路２８Ａ内に露出させて、循環換気ファンケース２７Ａの下面に設置される。なお、第２の吹出口２２Ａから吹き出される空気にのみイオンを供給するため、イオン発生器１０は、イオンの放出部１０Ａを第２の吹出口２２Ａに露出させて、第２の吹出口２２Ａに設置される構成としても良い。
【００５７】
＜第１の実施の形態の浴室換気乾燥暖房機の設置例＞
次に、各図を参照して、第１の実施の形態の浴室換気乾燥暖房機１Ａの設置例について説明する。
【００５８】
浴室換気乾燥暖房機１Ａは、図４に示すように、浴室１００の天井パネル１０１に設置される。浴室１００の天井パネル１０１には、浴室換気乾燥暖房機１Ａの本体部３Ａが取り付けられる開口部が形成され、浴室換気乾燥暖房機１Ａは、例えば、フランジ部３２Ａが図示しないネジで天井裏に設けられた補強部材に固定される形態で、天井パネル１０１に取り付けられる。
【００５９】
そして、浴室換気乾燥暖房機１Ａは、本体部３Ａの下面にフロントパネル４Ａが取り付けられ、フロントパネル４Ａの吸込口グリル４０Ａと、第１の吹出口グリル４１Ａ及び第２の吹出口グリル４２Ａと、第１の循環吹出口グリル４４Ａ及び第２の循環吹出口グリル４５Ａが、浴室１００内に面して配置される。
【００６０】
浴室１００の天井パネル１０１に設置された浴室換気乾燥暖房機１Ａは、本体部３Ａの排気ダクトジョイント３４Ａに排気ダクト１０２が取り付けられる。排気ダクト１０２は、浴室１００が設置される図示しない建物の外壁に取り付けられる屋外グリル１０２ａと接続され、浴室換気乾燥暖房機１Ａは、排気ダクト１０２を介して屋外とつながっている。
【００６１】
浴室１００は、浴槽１０３と洗い場１０４を備える。浴槽１０３は一般的に長方形であり、浴槽１０３と洗い場１０４は、浴槽１０３の短手方向に沿って並んでいる。
【００６２】
浴室１００は、浴槽１０３の上部に物干し部材であるランドリパイプ１０５を備える。ランドリパイプ１０５は、浴槽１０３の長手方向に沿って延び、浴室１００の対向する壁面１０６ａ，１０６ｂ間に取り付けられる。
【００６３】
なお、浴室１００に設置されるランドリパイプ１０５の本数は、１本または２本程度であり、本例では、１本のランドリパイプ１０５が配置された例を示す。また、物干し部材は、洗濯物等の被乾燥物が乾燥できるようになっていれば、パイプ状の部材に限らず、紐状であっても良く、他のものであっても良い。
【００６４】
浴室換気乾燥暖房機１Ａは、第１の吹出口グリル４１Ａ及び第２の吹出口グリル４２Ａの長手方向の向きが、ランドリパイプ１０５の長手方向に対して直交する向きで、浴槽１０３の上部に設置される。
【００６５】
これにより、浴室換気乾燥暖房機１Ａでは、第１の吹出口グリル４１Ａから吹き出される空気は、主にランドリパイプ１０５と直交する方向に広がる。これに対して、第２の吹出口グリル４２Ａから吹き出される空気は、第２の吹出口グリル４２Ａが設けられる側の浴室１００の壁面１０６ａに向けられる。
【００６６】
浴室換気乾燥暖房機１Ａが設置される位置は、主に浴槽１０３の上側であり、浴室換気乾燥暖房機１Ａから洗い場１０４側の壁面１０６ｃまでの距離が、浴室換気乾燥暖房機１Ａから浴槽１０３側の壁面１０６ｄまでの距離より長い。
【００６７】
そこで、浴室換気乾燥暖房機１Ａは、第２の循環吹出口グリル４５Ａより吹き出される空気の風量が多い第１の循環吹出口グリル４４Ａを洗い場１０４側の壁面１０６ｃに向け、第２の循環吹出口グリル４５Ａを浴槽１０３側の壁面１０６ｄに向けて設置される。
【００６８】
これにより、浴室換気乾燥暖房機１Ａでは、第１の循環吹出口グリル４４Ａから洗い場１０４側の壁面１０６ｃまでの距離に応じた第１の風量の空気Ａｉが第１の循環吹出口グリル４４Ａから吹き出され、第１の循環吹出口グリル４４Ａから吹き出される空気Ａｉが、天井パネル１０１に沿って洗い場１０４側の壁面１０６ｃの方向に流れる。
【００６９】
また、第２の循環吹出口グリル４５Ａから浴槽１０３側の壁面１０６ｄまでの距離に応じた第２の風量の空気Ａｉが第２の循環吹出口グリル４５Ａから吹き出され、第２の循環吹出口グリル４５Ａから吹き出される空気Ａｉが、天井パネル１０１に沿って浴槽１０３側の壁面１０６ｄの方向に流れる。
【００７０】
＜第１の実施の形態の浴室換気乾燥暖房機の制御機能例＞
図６は、第１の実施の形態の浴室換気乾燥暖房機の制御機能の一例を示すブロック図である。浴室換気乾燥暖房機１Ａは、ＣＰＵやメモリ等で構成される制御部８１Ａに、図１等で説明した循環換気ファンモータ２６Ａと、風路切替ダンパ６Ａを駆動するダンパモータ６５Ａと、ヒータ５と、イオン発生器１０と、操作部８２等が接続される。
【００７１】
制御部８１Ａは制御手段の一例で、図示しないメモリ等に格納されたプログラムよって例えば乾燥運転モード、循環換気運転モード、暖房運転モード及び換気運転モード等を実行する。
【００７２】
これら運転モードは、入浴者等の利用者が操作部８２を操作すること等により選択される。操作部８２は操作手段の一例で、例えば浴室換気乾燥暖房機１Ａの本体と独立したリモートコントロール装置で、浴室１００に隣接する洗面脱衣所の壁面等に取り付けられる。
【００７３】
制御部８１Ａは、操作部８２で選択された運転モードを実行するプログラムに基づき、循環換気ファンモータ２６Ａを駆動して、循環換気ファン２Ａのファン回転数を制御する。また、ヒータ５を駆動してヒータ５の出力を制御する。更に、ダンパモータ６５Ａを制御して風路切替ダンパ６Ａの開度を制御する。また、イオン発生器１０を駆動して、イオンの発生の有無、発生量を制御する。
【００７４】
浴室換気乾燥暖房機１Ａでは、循環換気ファン２Ａのファン回転数を制御することで、第１の吹出口２１Ａから吹き出される空気の風量が制御される。また、ヒータ５の出力を制御することで、第１の吹出口２１Ａから吹き出される空気の温度が制御される。更に、風路切替ダンパ６Ａの開度を制御することで、空気が吹き出される風路、各風路における風量が制御される。
【００７５】
浴室換気乾燥暖房機１Ａでは、操作部８２での操作等に基づく運転モード選択情報を取得する。浴室換気乾燥暖房機１Ａ循環換気ファンケースでは、取得した運転モード選択情報に基づき、第１の吹出口２１Ａから吹き出される空気の風量、第１の吹出口２１Ａから吹き出される空気の温度、イオンの放出の有無、イオンの放出量等、浴室換気乾燥暖房機１Ａの出力が制御される。
【００７６】
＜第１の実施の形態の浴室換気乾燥暖房機の動作例＞
図７〜図９は、第１の実施の形態の浴室換気乾燥暖房機における風路切替ダンパの動作を示す説明図、図１０、図１１は、第１の実施の形態の浴室換気乾燥暖房機における浴室内の空気の流れを示す説明図で、次に、各図を参照して、第１の実施の形態の浴室換気乾燥暖房機１Ａの動作例について説明する。
【００７７】
制御部８１Ａは、乾燥運転モードでは、風路切替ダンパ６Ａを図８に示す循環換気位置にし、循環換気ファンモータ２６Ａを駆動して羽根車２５Ａを回転させると共に、ヒータ５に通電する。
【００７８】
浴室換気乾燥暖房機１Ａでは、羽根車２５Ａが回転すると、フロントパネル４Ａの吸込口グリル４０Ａから、浴室１００内の空気が循環換気吸込口２０Ａに吸い込まれる。
【００７９】
乾燥運転モードでは、風路切替ダンパ６Ａが循環換気位置にあるので、吹出風路２８Ａでは、循環換気吸込口２０Ａから第１の吹出口２１Ａ及び第２の吹出口２２Ａへ連通した循環風路と、循環換気吸込口２０Ａから換気吹出口２３Ａへ連通した換気風路の双方が形成されている。
【００８０】
これにより、羽根車２５Ａが回転することで循環換気吸込口２０Ａから吸い込まれた浴室１００の空気ＲＡの一部は、第１の吹出口２１Ａ及び第２の吹出口２２Ａへと流れる。また、循環換気吸込口２０Ａから吸い込まれた浴室１００の空気の残部は、換気吹出口２３Ａへと流れ、排気ダクト１０２を通り屋外グリル１０２ａから排気ＥＡとして屋外へ排気される。
【００８１】
乾燥運転モードでは、第１の吹出口２１Ａに流れる空気は、ヒータ５によって加熱されることで、フロントパネル４Ａの第１の吹出口グリル４１Ａから温風ＨＡが吹き出される。第２の吹出口２２Ａに流れる空気は、ヒータ５を通らないので、フロントパネル４Ａの第２の吹出口グリル４２Ａ、第１の循環吹出口グリル４４Ａ及び第２の循環吹出口グリル４５Ａから、室温に応じた空気Ａが吹き出される。
【００８２】
浴室換気乾燥暖房機１Ａでは、第１の吹出口グリル４１Ａから吹き出される空気は、ランドリパイプ１０５の長手方向及びランドリパイプ１０５と直交する方向に広がる。
【００８３】
但し、浴室換気乾燥暖房機１Ａは、第１の吹出口グリル４１Ａの長手方向がランドリパイプ１０５と直交する向きに配置されるので、第１の吹出口グリル４１Ａから吹き出される空気は、主にランドリパイプ１０５に直交する方向に広がる。
【００８４】
このため、第１の吹出口グリル４１Ａの直下近傍のランドリパイプ１０５に掛けられた衣類等の被乾燥物に対しては、幅方向の全体に温風が当てられる。これに対して、第１の吹出口グリル４１Ａの直下から離れた位置のランドリパイプ１０５に掛けられた被乾燥物に対しては、第１の吹出口グリル４１Ａから吹き出される温風が直接は当たりにくい。
【００８５】
浴室換気乾燥暖房機１Ａでは、第２の吹出口グリル４２Ａから吹き出される空気Ａは、整流板４３Ａにより、第１の吹出口グリル４１Ａに対して第２の吹出口グリル４２Ａが設けられる側の浴室１００の壁面１０６ａに向けられる。
【００８６】
これにより、図１０（ａ）に示すように、乾燥モードで第２の吹出口グリル４２Ａから吹き出される空気Ａは、浴室１００の一方の壁面１０６ａに当てられ、矢印Ａ１に示すように壁面１０６ａに沿って下方に流れる。壁面１０６ａに沿って下方に流れる空気は、矢印Ａ２に示すように、浴室１００の下層付近を、主に他方の壁面１０６ｂに向かって流れる。
【００８７】
浴室換気乾燥暖房機１Ａでは、吸込口グリル４０Ａから吸い込まれる空気ＲＡによって、浴室１００内で空気を循環させる流れを生じさせているので、浴室１００の下層付近を他方の壁面１０６ｂに向かって流れる空気は、矢印Ａ３に示すように壁面１０６ｂに沿って上方に流れ、吸込口グリル４０Ａから吸い込まれる。
【００８８】
このように、浴室換気乾燥暖房機１Ａでは、第２の吹出口グリル４２Ａから吹き出される空気によって、浴室１００の一方の壁面１０６ａに沿って下方に向かい、浴室１００の下層付近を他方の壁面１０６ｂに向かい、他方の壁面１０６ｂに沿って上方に向かう空気の流れを発生させることができる。
【００８９】
乾燥運転モードで浴室換気乾燥暖房機１Ａの第１の吹出口グリル４１Ａから吹き出される空気は、ヒータ５で加熱された温風で、相対湿度が下げられているので、第２の吹出口グリル４２Ａから吹き出される空気に比べ軽い。
【００９０】
このため、第１の吹出口グリル４１Ａから吹き出される空気に比べ重い第２の吹出口グリル４２Ａから吹き出される空気は、浴室１００の下層まで流れ、浴室１００内の全体に、空気を攪拌する風の流れを生じさせることができる。
【００９１】
これにより、第１の吹出口グリル４１Ａから吹き出される温風が、直接は当たりにくい第１の吹出口グリル４１Ａの直下から離れた位置のランドリパイプ１０５に掛けられた被乾燥物付近にも、空気の流れを生じさせることができる。
【００９２】
更に、浴室換気乾燥暖房機１Ａでは、第１の循環吹出口グリル４４Ａから吹き出される空気Ａは、天井パネル１０１に沿って洗い場１０４側の壁面１０６ｃに向けられ、第２の循環吹出口グリル４５Ａから吹き出される空気Ａは、天井パネル１０１に沿って浴槽１０３側の壁面１０６ｄに向けられる。
【００９３】
これにより、図１１に示すように、乾燥モードで第１の循環吹出口グリル４４Ａから吹き出される空気Ａは、矢印Ａ４に示すように、浴室１００の天井パネル１０１に沿って流れて洗い場１０４側の壁面１０６ｃに当てられ、壁面１０６ｃに沿って下方に流れる。また、乾燥モードで第２の循環吹出口グリル４５Ａから吹き出される空気Ａは、矢印Ａ４に示すように、浴室１００の天井パネル１０１に沿って流れて浴槽１０３側の壁面１０６ｄに当てられ、壁面１０６ｄに沿って下方に流れる。従って、第１の吹出口グリル４１Ａ及び第２の吹出口グリル４２Ａから吹き出される空気が直接はあたりにくい天井パネル１０１付近にも、空気の流れを生じさせることができる。
【００９４】
乾燥運転モードでは、イオン発生器１０を駆動すると、イオンを含む非加熱の空気が第２の吹出口グリル４２Ａから吹き出される。第２の吹出口グリル４２Ａから吹き出される空気は、浴室１００の下層まで流れ、浴室１００内の全体に、イオンを含む空気を攪拌する風の流れを生じさせることができる。
【００９５】
これにより、ランドリパイプ１０５に掛けられた衣類を乾燥させながら、イオンを含む空気をランドリパイプ１０５に掛けられた複数の衣類全体に当たるようにして、衣類に付着している菌の増殖を抑制して、脱臭効果を得ることができる。
【００９６】
また、乾燥運転モードでは、イオン発生器１０を駆動すると、イオンを含む非加熱の空気が第１の循環吹出口グリル４４Ａ及び第２の循環吹出口グリル４５Ａから吹き出される。第１の循環吹出口グリル４４Ａ及び第２の循環吹出口グリル４５Ａから吹き出される空気は、浴室１００の天井パネル１０１に沿って流れる。
【００９７】
第１の循環吹出口グリル４４Ａから洗い場１０４側の壁面１０６ｃまでの距離に応じた第１の風量で、イオンを含む空気Ａｉが第１の循環吹出口グリル４４Ａから吹き出されることで、第１の循環吹出口グリル４４Ａから吹き出される空気は、浴室１００の天井パネル１０１に沿って流れ、壁面１０６ｃまで届く。
【００９８】
また、第２の循環吹出口グリル４５Ａから浴槽１０３側の壁面１０６ｄまでの距離に応じた第２の風量で、イオンを含む空気Ａｉが第２の循環吹出口グリル４５Ａから吹き出されることで、第２の循環吹出口グリル４５Ａから吹き出される空気は、浴室１００の天井パネル１０１に沿って流れ、壁面１０６ｄまで届く。
【００９９】
これにより、浴室１００の天井パネル１０１全体に、イオンを含む空気の流れを生じさせることができ、浴室１００の天井パネル１０１全体にイオンを供給できる。従って、手が届きにくく人手による掃除がしづらい浴室１００の天井パネル１０１にカビの原因となる菌が付着することを抑制でき、清掃の手間を軽減することができる。また、天井パネル１０１へのカビの付着を抑制することで、天井パネル１０１からカビが落下することを抑制でき、床面に発生するカビの除去に伴う清掃の手間を軽減することができる。
【０１００】
なお、フロントパネル４Ａの一方の側部のみからイオンを含む空気を吹き出す構成では、浴室１００の天井パネル１０１全体に、イオンを含む空気の流れを生じさせることができなかった。
【０１０１】
また、フロントパネル４Ａの対向する２側部からイオンを含む空気を吹き出す構成では、循環吹出口グリルから壁面まで距離に応じて風量を総体的に異ならせることで、浴室１００の天井パネル１０１全体に、イオンを含む空気の流れを生じさせることができた。第１の循環吹出口グリル４４Ａから吹き出される空気の風量と第２の循環吹出口グリル４５Ａから吹き出される空気の風量の比率は、２：１程度であることが好ましい。
【０１０２】
制御部８１Ａは、循環換気運転モードでは、風路切替ダンパ６Ａを図７に示す循環換気位置にし、ヒータ５を非駆動として、循環換気ファンモータ２６Ａを駆動して羽根車２５Ａを回転させる。ここで、上述した乾燥運転モードと循環換気運転モードでは、循環換気運転モードの方が、屋外へ排気される風量である換気風量が多くなるように、風路切替ダンパ６Ａの開度を換気吹出口２３Ａの開度が広くなる位置に変更しても良い。
【０１０３】
浴室換気乾燥暖房機１Ａでは、羽根車２５Ａが回転することで、フロントパネル４Ａの吸込口グリル４０Ａから、浴室１００内の空気が循環換気吸込口２０Ａに吸い込まれる。
【０１０４】
循環換気運転モードでは、風路切替ダンパ６Ａが循環換気位置にあるので、循環換気吸込口２０Ａから吸い込まれた浴室１００の空気の一部は、第１の吹出口２１Ａ及び第２の吹出口２２Ａへと流れる。また、循環換気吸込口２０Ａから吸い込まれた浴室１００の空気の残部は、換気吹出口２３Ａへと流れ、屋外へ排気される。
【０１０５】
循環換気運転モードでは、第１の吹出口２１Ａに流れる空気は、ヒータ５が非駆動であるので、フロントパネル４Ａの第１の吹出口グリル４１Ａから、室温に応じた空気ＣＡが吹き出される。第２の吹出口２２Ａに流れる空気は、ヒータ５を通らないので、フロントパネル４Ａの第２の吹出口グリル４２Ａから、室温に応じた空気Ａが吹き出される。
【０１０６】
浴室換気乾燥暖房機１Ａでは、図９（ｂ）に示すように、循環換気運転モードでも、第２の吹出口グリル４２Ａから吹き出される空気によって、浴室１００の一方の壁面１０６ａに沿って下方に向かい、浴室１００の下層付近を他方の壁面１０６ｂに向かい、他方の壁面１０６ｂに沿って上方に向かう空気の流れを発生させることができる。
【０１０７】
これにより、循環換気運転モードでも、浴室１００内の全体に、空気を攪拌する風の流れを生じさせることができ、浴室１００内で、第１の吹出口グリル４１Ａから吹き出される空気が直接は当たりにくいような場所でも、空気の流れを生じさせることができる。
【０１０８】
従って、浴室１００の各壁面、床面等の乾燥時間を短縮することができる。また、浴室１００内の空気の一部は屋外に排気されて換気が行われるので、湿気等を排出して、浴室１００の各壁面、床面等の乾燥を促進することができる。
【０１０９】
循環換気運転モードでも、イオン発生器１０を駆動すると、イオンを含む非加熱の空気が第２の吹出口グリル４２Ａから吹き出される。第２の吹出口グリル４２Ａから吹き出される空気は、浴室１００の下層まで流れ、浴室１００内の全体に、イオンを含む空気を攪拌する風の流れを生じさせることができる。
【０１１０】
また、循環換気運転モードでも、イオン発生器１０を駆動すると、イオンを含む非加熱の空気が第１の風量で第１の循環吹出口グリル４４Ａから吹き出され、第２の風量で第２の循環吹出口グリル４５Ａから吹き出される。第１の循環吹出口グリル４４Ａ及び第２の循環吹出口グリル４５Ａから吹き出される空気は、浴室１００の天井パネル１０１に沿って流れる。
【０１１１】
これにより、イオンを含む空気を浴室１００の天井、壁面、床面全体に当たるようにして、菌の増殖を抑制し、カビの発生を抑制することができる。
【０１１２】
浴室換気乾燥暖房機１Ａで実行される他の運転モードとしては、暖房運転モードでは、風路切替ダンパ６Ａを図６に示す循環位置にして、ヒータ５に通電すると共に、循環換気ファンモータ２６Ａを駆動して羽根車２５Ａを回転させる。
【０１１３】
浴室換気乾燥暖房機１Ａでは、羽根車２５Ａが回転することで、フロントパネル４Ａの吸込口グリル４０Ａから、浴室１００内の空気が循環換気吸込口２０Ａに吸い込まれる。
【０１１４】
暖房運転モードでは、風路切替ダンパ６Ａが循環位置にあるので、循環換気吸込口２０Ａから吸い込まれた浴室１００の空気の略全量が、第１の吹出口２１Ａへと流れる。暖房運転モードでは、第１の吹出口２１Ａに流れる空気は、ヒータ５によって加熱されることで、フロントパネル４Ａの第１の吹出口グリル４１Ａから温風が吹き出される。
【０１１５】
暖房運転モードでは、風路切替ダンパ６Ａが循環位置にあるので、浴室１００内の空気は換気されない。これにより、暖房運転モードでは、第１の吹出口グリル４１Ａから温風を吹き出しながら、浴室１００内の空気が循環されることで、浴室１００内の温度を入浴に適した温度に上昇させることができる。
【０１１６】
また、風路切替ダンパ６Ａが循環位置にあると、換気吹出口２３Ａに加えて第２の吹出口２２Ａが塞がれるので、ヒータ５を通らない空気が吹き出されない。これにより、入浴中に実行される暖房運転モードであっても、ヒータ５で暖められていない空気が吹き出されることがなく、入浴者が寒さを感じることが無い。
【０１１７】
更に、風路切替ダンパ６Ａが循環位置にあると、換気吹出口２３Ａに対して第２の吹出口２２Ａが逆流防止部６３Ａで塞がれるので、外気が浴室１００内に逆流することを防ぐことができる。
【０１１８】
換気運転モードでは、風路切替ダンパ６Ａを図８に示す換気位置にし、ヒータ５を非駆動として、循環換気ファンモータ２６Ａを駆動して羽根車２５Ａを回転させる。
【０１１９】
浴室換気乾燥暖房機１Ａでは、羽根車２５Ａが回転することで、フロントパネル４Ａの吸込口グリル４０Ａから、浴室１００内の空気が循環換気吸込口２０Ａに吸い込まれる。
【０１２０】
換気運転モードでは、風路切替ダンパ６Ａが換気位置にあるので、第１の吹出口２１Ａと第２の吹出口２２Ａが塞がれ、循環換気吸込口２０Ａから吸い込まれた浴室１００の空気の略全量が換気吹出口２３Ａへと流れ、屋外へ排気される。従って、換気運転モードでは、浴室１００内の湯気や湿気を排出して結露等を抑制し、カビの発生を抑えることができる。
【０１２１】
＜第１の実施の形態の浴室換気乾燥暖房機の変形例＞
図１２及び図１３は、第１の実施の形態の浴室換気乾燥暖房機の一例を示す構成図である。本体部３Ａの外側へ側方に向けて空気を吹き出す吹出口としては、フロントパネル４Ａの側部に設ける構成以外に、フロントパネル４Ａの下面に風向切換手段を備える構成としても良い。
【０１２２】
図１２に示す実施の形態では、図１等に示す循環換気ファン２Ａの第１の吹出口２１Ａに対向して、フロントパネル４Ａに吹出口グリル４０５を備える。また、吹出口グリル４０５を開閉すると共に、開度により風向及び風量が切り替えられる第１の風向切換部４０６と第２の風向切換部４０７を備える。
【０１２３】
第１の風向切換部４０６と第２の風向切換部４０７は風向切換手段の一例で、図示しないモータによる軸４０８を支点とした開閉動作で、吹出口グリル４０５を開閉する。また、軸４０８を支点とした開閉動作で吹出口グリル４０５を開き、開度に応じて風向及び風量を切り替える。
【０１２４】
第１の風向切換部４０６と第２の風向切換部４０７を備えた浴室換気乾燥暖房機は、第１の風向切換部４０６が設けられた側が、図５（ｂ）に示す洗い場１０４側の壁面１０６ｃに向けて設置される。そして、第１の風向切換部４０６を所定の開度とした場合に、第１の風向切換部４０６側から吹き出される空気の風量が、第２の風向切換部４０７を同開度とした場合に、第２の風向切換部４０７側から吹き出される空気の風量より多くなるように、第１の風向切換部４０６の大きさが第２の風向切換部４０７より大きく構成される。
【０１２５】
運転を停止している状態では、制御部８１Ａは、図１２（ａ）に示すように、第１の風向切換部４０６と第２の風向切換部４０７で吹出口グリル４０５を閉じる。これにより、第１の風向切換部４０６と第２の風向切換部４０７は化粧パネルとして機能する。
【０１２６】
上述した乾燥運転モード、循環換気運転モードでは、図１２（ｂ）に示すように、第１の風向切換部４０６と第２の風向切換部４０７を、それぞれ側方に向けて空気が吹き出される所定の開度として吹出口グリル４０５を開く。
【０１２７】
これにより、第１の風向切換部４０６側から図５（ｂ）に示す洗い場１０４側の壁面１０６ｃまでの距離に応じた第１の風量でイオンを含む空気Ａｉが吹き出されることで、第１の風向切換部４０６側から吹き出される空気は、浴室１００の天井パネル１０１に沿って流れ、壁面１０６ｃまで届く。
【０１２８】
また、第２の風向切換部４０７側から図５（ｂ）に示す浴槽１０３側の壁面１０６ｄまでの距離に応じた第２の風量でイオンを含む空気Ａｉが吹き出されることで、第２の風向切換部４０７側から吹き出される空気は、浴室１００の天井パネル１０１に沿って流れ、壁面１０６ｄまで届く。
【０１２９】
これにより、浴室１００の天井パネル１０１全体に、イオンを含む空気の流れを生じさせることができ、浴室１００の天井パネル１０１全体にイオンを供給できる。
【０１３０】
暖房運転モードでは、第１の風向切換部４０６と第２の風向切換部４０７を、それぞれ下方に向けて空気が吹き出される所定の開度として吹出口グリル４０５を開く。これにより、ヒータ５で加熱された空気で、浴室１００全体の温度を上昇させることができる。
【０１３１】
なお、図１に示す第２の吹出口２２Ａから吹き出される空気にのみイオンを供給する構成では、第２の吹出口２２Ａに対向して、フロントパネル４Ａに吹出口グリル４０５を備える。また、吹出口グリル４０５を開閉すると共に、開度により風向及び風量が切り替えられる第１の風向切換部４０６と第２の風向切換部４０７を備える。
【０１３２】
図１３に示す実施の形態では、図１等に示す循環換気ファン２Ａの第１の吹出口２１Ａに対向して、フロントパネル４Ａに吹出口グリル４１０を備える。また、開度により風向が切り替えられる風向切換部４１１を備える。
【０１３３】
風向切換部４１１は風向切換手段の一例で、軸４１２を支点とした開閉動作で、本体部３Ａの側方に向けて空気を吹き出すか、下方に向けて空気を吹き出すか風向を切り替える。風向切換部４１１は、本体部３Ａの側方に向けて空気を吹き出す第１の向きにおいて、本体部３Ａの外側へ一方の側方に向けて空気が吹き出される第１の循環吹出口４１３と、本体部３Ａの外側へ、第１の循環吹出口４１３による吹出方向と反対向きである他方の側方に向けて空気が吹き出される第２の循環吹出口４１４を備える。
【０１３４】
第１の循環吹出口４１３と第２の循環吹出口４１４の一方、本例では、第１の循環吹出口４１３から吹き出される空気の風量が、第２の循環吹出口４１４から吹き出される空気の風量より多くなるように、例えば開口の大きさ等が設定される。
【０１３５】
風向切換部４１１を備えた浴室換気乾燥暖房機は、第１の循環吹出口４１３が設けられた側が、図５（ｂ）に示す洗い場１０４側の壁面１０６ｃに向けて設置される。
【０１３６】
上述した乾燥運転モード、循環換気運転モードでは、制御部８１Ａは、図１３（ａ）に示すように、風向切換部４１１を、本体部３Ａの側方に向けて空気を吹き出す第１の向きとする。これにより、第１の循環吹出口４１３から図５（ｂ）に示す洗い場１０４側の壁面１０６ｃまでの距離に応じた第１の風量でイオンを含む空気Ａｉが吹き出されることで、第１の循環吹出口４１３から吹き出される空気は、浴室１００の天井パネル１０１に沿って流れ、壁面１０６ｃまで届く。
【０１３７】
また、第２の循環吹出口４１４から図５（ｂ）に示す浴槽１０３側の壁面１０６ｄまでの距離に応じた第２の風量でイオンを含む空気Ａｉが吹き出されることで、第２の循環吹出口４１４から吹き出される空気は、浴室１００の天井パネル１０１に沿って流れ、壁面１０６ｄまで届く。
【０１３８】
これにより、浴室１００の天井パネル１０１全体に、イオンを含む空気の流れを生じさせることができ、浴室１００の天井パネル１０１全体にイオンを供給できる。
【０１３９】
暖房運転モードでは、図１３（ｂ）に示すように、風向切換部４１１を、本体部３Ａの下方に向けて空気を吹き出す第２の向きとする。風向切換部４１１の第２の向きは、本例では、第１の循環吹出口４１３からの空気の吹き出し方向が下方となる向きである。これにより、第１の循環吹出口４１３から下方に向けてヒータ５で加熱された空気が吹き出され、ヒータ５で加熱された空気で、浴室１００全体の温度を上昇させることができる。
【産業上の利用可能性】
【０１４０】
本発明は、浴室等の被乾燥物の乾燥を行う空間に設置される送風装置に適用される。
【符号の説明】
【０１４１】
１Ａ・・・浴室換気乾燥暖房機、１０・・・イオン発生器（機能因子発生部）、１０Ａ・・・放出部、２Ａ・・・循環換気ファン（送風手段）、２０Ａ・・・循環換気吸込口（吸込口）、２１Ａ・・・第１の吹出口（吹出口）、２２Ａ・・・第２の吹出口（吹出口）、２３Ａ・・・換気吹出口、２５Ａ・・・羽根車、２７Ａ・・・循環換気ファンケース、４Ａ・・・フロントパネル（パネル部材）、４０Ａ・・・吸込口グリル、４１Ａ・・・第１の吹出口グリル、４２Ａ・・・第２の吹出口グリル、４４Ａ・・・第１の循環吹出口グリル（循環吹出口）、４５Ａ・・・第２の循環吹出口グリル（循環吹出口）、４０６・・・第１の風向切換部（風向切換手段）、４０７・・・第２の風向切換部（風向切換手段）、４１１・・・風向切換部（風向切換手段）、５・・・ヒータ、６Ａ・・・風路切替ダンパ、１００・・・浴室、１０１・・・天井パネル、１０３・・・浴槽、１０４・・・洗い場、１０６ｃ、１０６ｄ・・・壁面
【図１】
2018173251.tif 000003
【図２】
2018173251.tif 000004
【図３】
2018173251.tif 000005
【図４】
2018173251.tif 000006
【図５】
2018173251.tif 000007
【図６】
2018173251.tif 000008
【図７】
2018173251.tif 000009
【図８】
2018173251.tif 000010
【図９】
2018173251.tif 000011
【図１０】
2018173251.tif 000012
【図１１】
2018173251.tif 000013
【図１２】
2018173251.tif 000014
【図１３】
2018173251.tif 000015